【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
電子デバイスにおいて実行される方法であって、前記方法は、
第１のサウンドサンプルを受け取ることと、
前記第１のサウンドサンプルから第１の音響特徴を抽出することと、
第２のサウンドサンプルを受け取ることと、
前記第２のサウンドサンプルから第２の音響特徴を抽出することと、
前記第２の音響特徴が前記第１の音響特徴に類似するかどうかを決定することと、
前記第２の音響特徴が前記第１の音響特徴に類似しないと決定することに応答して、前記第２のサウンドサンプルがサウンド検出モデルを生成する際に使用されるかどうかを示す決定結果を出力することと、前記決定結果は、代替サウンドサンプルについての要求を含む、
を備える、方法。
【請求項２】
前記決定結果は、前記サウンド検出モデルを生成する際に前記第２のサウンドサンプルが使用されない可能性があることをユーザに示す、請求項１に記載の方法。
【請求項３】
前記第１のサウンドサンプルの第１の信号対雑音比を決定することと、
前記第２のサウンドサンプルの第２の信号対雑音比を決定することと、
前記第１の信号対雑音比または前記第２の信号対雑音比のうちの少なくとも１つに基づいて、前記サウンド検出モデルを生成することと
をさらに備える、請求項１に記載の方法。
【請求項４】
第３のサウンドサンプルを受け取ることと、
前記第３のサウンドサンプルから第３の音響特徴を抽出することと、
前記第３の音響特徴が前記第１の音響特徴に類似すると決定することに基づいて、前記第１の音響特徴および前記第３の音響特徴に基づいて、組み合わせられた音響特徴を決定することと、
第４のサウンドサンプルを受け取ることと、
前記第４のサウンドサンプルから第４の音響特徴を抽出することと、
前記第４の音響特徴が前記組み合わせられた音響特徴に類似するかどうかを決定することと
をさらに備える、請求項１に記載の方法。
【請求項５】
前記第１の音響特徴および前記第２の音響特徴の各々は、スペクトル特徴または時間領域特徴のうちの少なくとも１つを含み、前記電子デバイスは、モバイル通信デバイスを備える、請求項１に記載の方法。
【請求項６】
前記第１の音響特徴および前記第２の音響特徴の各々は、サブワードのシーケンスを含み、前記サブワードは、音、音素、トライフォン、または音節のうちの少なくとも１つを含む、請求項１に記載の方法。
【請求項７】
マルチメディアデバイスを備えるデバイスにおいて前記サウンド検出モデルを生成することをさらに備える、請求項１に記載の方法。
【請求項８】
前記第２の音響特徴が前記第１の音響特徴に類似しないと決定することに応答して、追加のサウンドサンプルを受け取ることと、
前記追加のサウンドサンプルから特定の音響特徴を抽出することと、
前記特定の音響特徴が前記第１の音響特徴に類似するかどうかを決定することと
をさらに備える、請求項１に記載の方法。
【請求項９】
前記特定の音響特徴が前記第１の音響特徴に類似すると決定することに応答して、前記第１のサウンドサンプルおよび前記追加のサウンドサンプルのうちの少なくとも１つに基づいて、前記サウンド検出モデルを生成することをさらに備える、請求項８に記載の方法。
【請求項１０】
前記サウンド検出モデルを生成することは、
前記第１のサウンドサンプルまたは前記追加のサウンドサンプルのうちの少なくとも１つに基づいて、前記サウンド検出モデルの閾値を決定することと、
前記第２のサウンドサンプルに基づいて、前記閾値を調整することと
を備える、請求項９に記載の方法。
【請求項１１】
前記特定の音響特徴が前記第１の音響特徴に類似すると決定することに応答して、前記追加のサウンドサンプルが前記第１のサウンドサンプルに類似するとの指示を表示することをさらに備える、請求項８に記載の方法。
【請求項１２】
前記第１のサウンドサンプルおよび前記第２のサウンドサンプルの各々は、前記電子デバイスをアクティブ化するためのコマンド、あるいは前記電子デバイスにおけるアプリケーションまたは機能を制御するためのコマンドのうちの少なくとも１つを示す、請求項１に記載の方法。
【請求項１３】
音声入力に関連付けられた入力データを受け取ることと、
前記サウンド検出モデルに基づいて、キーワードまたはユーザのうちの少なくとも１つを前記入力データから認識することと
をさらに備える、請求項９に記載の方法。
【請求項１４】
電子デバイスであって、
第１のサウンドサンプルおよび第２のサウンドサンプルを含む複数のサウンドサンプルを生成するように構成されたサウンドセンサと、
前記第１のサウンドサンプルから第１の音響特徴を抽出し、前記第２のサウンドサンプルから第２の音響特徴を抽出するように構成されたサウンドサンプル検証ユニットと、
前記第２の音響特徴が前記第１の音響特徴に類似しないとの前記サウンドサンプル検証ユニットによる決定に応答して、決定結果を出力するように構成された出力ユニットと、前記決定結果は、前記第２のサウンドサンプルがサウンド検出モデルを生成する際に使用されるかどうかを示し、前記決定結果は、代替サウンドサンプルについての要求を含む、
を備える、電子デバイス。
【請求項１５】
前記複数のサウンドサンプルのうちの２つ以上の音響特徴が互いに類似するとの前記サウンドサンプル検証ユニットによる決定に応答して、前記複数のサウンドサンプルのうちの少なくとも１つに基づいて、前記サウンド検出モデルを生成するように構成されたサウンド検出モデル生成ユニットと、
前記複数のサウンドサンプルのうちの少なくとも１つを示す入力を受け取るように構成された入力ユニットと
ここにおいて、前記サウンドサンプル検証ユニットは、
前記複数のサウンドサンプルのうちの前記２つ以上の前記音響特徴が互いに類似するとの前記サウンドサンプル検証ユニットによる決定に応答して、前記複数のサウンドサンプルのうちの前記２つ以上に基づいて、組み合わせられた音響特徴を決定し、
前記サウンドセンサによって受け取られた別のサウンドサンプルから別の音響特徴を抽出し、および
前記別の音響特徴が前記組み合わせられた音響特徴に類似するかどうかを決定するようにさらに構成される、
をさらに備える、請求項１４に記載の電子デバイス。
【請求項１６】
命令を備える非一時的なコンピュータ可読記憶媒体であって、前記命令は、電子デバイスの少なくとも１つのプロセッサに、
第１のサウンドサンプルを受け取ることと、
前記第１のサウンドサンプルから第１の音響特徴を抽出することと、
第２のサウンドサンプルを受け取ることと、
前記第２のサウンドサンプルから第２の音響特徴を抽出することと、
前記第２の音響特徴が前記第１の音響特徴に類似するかどうかを決定することと、
前記第２の音響特徴が前記第１の音響特徴に類似しないと決定することに応答して、
前記第２のサウンドサンプルがサウンド検出モデルを生成する際に使用されるかどうかを示す決定結果を出力することと、
前記第２の音響特徴が前記第１の音響特徴に類似しないと決定することに応答して、追加のサウンドサンプルを受け取ることと、
前記追加のサウンドサンプルから特定の音響特徴を抽出することと、
前記特定の音響特徴が前記第１の音響特徴に類似するかどうかを決定することと、
前記特定の音響特徴が前記第１の音響特徴に類似すると決定することに応答して、前記追加のサウンドサンプルが前記第１のサウンドサンプルに類似するとの指示を表示することと
の動作を実行させる、非一時的なコンピュータ可読記憶媒体。
【請求項１７】
前記サウンド検出モデルは、前記第２の音響特徴が前記第１の音響特徴に類似しないと決定することに基づいて、前記第２の音響特徴を用いずに生成される、請求項１６に記載の非一時的なコンピュータ可読記憶媒体。
【請求項１８】
前記動作は、
第３のサウンドサンプルを受け取ることと、
前記第３のサウンドサンプルから第３の音響特徴を抽出することと、
前記第３の音響特徴が前記第１の音響特徴に類似すると決定することに応答して、前記第１の音響特徴および前記第３の音響特徴に基づいて、組み合わせられた音響特徴を決定することと
をさらに備える、請求項１６に記載の非一時的なコンピュータ可読記憶媒体。
【請求項１９】
前記動作は、
第４のサウンドサンプルを受け取ることと、
前記第４のサウンドサンプルから第４の音響特徴を抽出することと、
前記第４の音響特徴が前記組み合わせられた音響特徴に類似するかどうかを決定することと
をさらに備える、請求項１８に記載の非一時的なコンピュータ可読記憶媒体。
【請求項２０】
サウンド検出モデルを生成する際に使用される少なくとも１つのサウンドサンプルを検証するための電子デバイスであって、
サウンドサンプルを受け取るための手段と、受け取るための前記手段は、第１のサウンドサンプルおよび第２のサウンドサンプルを受け取るように構成され、
音響特徴を抽出するための手段と、抽出するための前記手段は、前記第１のサウンドサンプルから第１の音響特徴を抽出し、前記第２のサウンドサンプルから第２の音響特徴を抽出するように構成され、
前記第２の音響特徴が前記第１の音響特徴に類似するかどうかを決定するための手段と、
前記第２の音響特徴が前記第１の音響特徴に類似しないと決定するための前記手段による決定に応答して、決定結果を出力するための手段と、前記決定結果は、前記第２のサウンドサンプルが前記サウンド検出モデルを生成する際に使用されるかどうかを示し、前記決定結果は、代替サウンドサンプルについての要求を含む、
を備える、電子デバイス。
【請求項２１】
前記第２の音響特徴が前記第１の音響特徴に類似しないと決定するための前記手段による前記決定に応答して追加のサウンドサンプルを受け取るための手段と、
前記追加のサウンドサンプルから特定の音響特徴を抽出するための手段と、
前記特定の音響特徴が前記第１の音響特徴に類似するかどうかを決定するための手段と
請求項２０に記載の電子デバイス。
【請求項２２】
決定するための前記手段は、別の音響特徴が前記第１の音響特徴に類似するとの決定に応答して、前記第１の音響特徴および前記別の音響特徴に基づいて、組み合わせられた音響特徴を決定するように構成され、受け取るための前記手段は、第３のサウンドサンプルを受け取るように構成され、抽出するための前記手段は、前記第３のサウンドサンプルから第３の音響特徴を抽出するように構成され、決定するための前記手段は、前記第３の音響特徴が前記組み合わせられた音響特徴に類似するかどうかを決定するように構成される、請求項２０に記載の電子デバイス。
【請求項２３】
アンテナと、
前記アンテナに結合され、符号化されたオーディオ信号を受信するように構成された受信機と、
前記受信機に結合された復調器と、前記復調器は、前記符号化されたオーディオ信号を復調するように構成される、
をさらに備える、請求項１４に記載の電子デバイス。
【請求項２４】
前記復調器に結合されたプロセッサと、
前記プロセッサに結合されたデコーダと、前記デコーダは、前記符号化されたオーディオ信号を復号するように構成され、
ここにおいて、前記受信機、前記復調器、前記プロセッサ、前記デコーダ、前記サウンドセンサ、前記サウンドサンプル検証ユニット、および前記出力ユニットは、モバイル通信デバイスに統合される、
をさらに備える、請求項２３に記載の電子デバイス。
【請求項２５】
前記サウンドセンサ、前記サウンドサンプル検証ユニット、および前記出力ユニットは、マルチメディアデバイスに統合される、請求項１４に記載の電子デバイス。
【請求項２６】
前記サウンドサンプルを受け取るための前記手段、前記音響特徴を抽出するための前記手段、および出力するための前記手段は、モバイル通信デバイスに統合される、請求項２０に記載の電子デバイス。
【請求項２７】
前記サウンドサンプルを受け取るための前記手段、前記音響特徴を抽出するための前記手段、および出力するための前記手段は、マルチメディアデバイスに統合される、請求項２０に記載の電子デバイス。
【請求項２８】
前記特定の音響特徴が前記第１の音響特徴に類似するとの決定に基づいて、前記第１のサウンドサンプルの第４の音響特徴および前記追加のサウンドサンプルの第５の音響特徴に基づいて、前記サウンド検出モデルを生成すること、ここにおいて、前記第４の音響特徴は、前記第１の音響特徴とは異なるタイプの音響特徴であり、前記第５の音響特徴は、前記特定の音響特徴とは異なるタイプの音響特徴である、
をさらに備える、請求項８に記載の方法。